(57)【要約】      （修正有）【課題】作業者のハンダ付け技量により接続具合が左右されることがなく、接続不良を防止できるリレー架に接続される配線接続盤を提供する。【解決手段】リレー架に接続される配線接続盤は、鉄道における信号機や転てつ機などの被制御装置を制御する制御装置のリレー架に接続される配線接続盤本体１と、本体に設けられた、リレー架の接続端子に接続されるリレー架側接続端子６と、制御装置により制御される被制御装置のケーブルに接続されるケーブル側接続部とよりなり、ケーブル側接続部は、スプリング式端子部８によりなることを特徴とする。【選択図】図１
0003205816.tif 000002
【実用新案登録請求の範囲】
【請求項１】
鉄道における信号機や転てつ機などの被制御装置を制御する制御装置のリレー架に接続される配線接続盤本体と、
該配線接続盤本体に設けられた、上記リレー架の接続端子に接続されるリレー架側接続端子と、
上記制御装置により制御される被制御装置のケーブルに接続されるケーブル側接続部とよりなり、
上記ケーブル側接続部は、スプリング式端子部によりなることを特徴とするリレー架に接続される配線接続盤。
【請求項２】
上記スプリング式端子部は、上記配線接続盤本体に設けられた、上記ケーブルの接続端子が挿入される孔と、該孔に設けられた、上記挿入されたケーブルの接続端子を側部から押圧して固定するスプリングとよりなることを特徴とする請求項１記載のリレー架に接続される配線接続盤。
【請求項３】
上記配線接続盤本体に、上記ケーブルを固定するケーブル固定用の固定具を設けたことを特徴とする請求項１または２記載のリレー架に接続される配線接続盤。
【請求項４】
上記固定具は、ケーブル固定部と、該ケーブル固定具を、上記配線接続盤本体から所望の距離離間して、上記配線接続盤本体に固定する連結部とよりなることを特徴とする請求項３記載のリレー架に接続される配線接続盤。
【考案の詳細な説明】
【技術分野】
【０００１】
本考案は、リレー架に接続される配線接続盤、特に、鉄道における信号機や転てつ機などの被制御装置の動作を制御する、継電連動機などの制御装置のリレー架に接続される配線接続盤に関するものである
【背景技術】
【０００２】
信号機や転てつ機などの被制御装置からのケーブルがひとまとまりで一つの配線接続盤に接続され、かかる配線接続盤が、継電連動機など制御装置のリレー架に着脱自在に接続されて、上記被制御装置が上記制御装置により制御されるようになる。
【０００３】
そして、上記被制御装置のケーブルと上記配線接続盤との接続は、従来は、ハンダにより接続されていた。
【０００４】
図８及び図９は、上記従来の配線接続盤を示し、１は、制御装置のリレー架（図示せず）に着脱自在に接続される配線接続盤本体であり、該配線接続盤本体１は直方体状に形成されると共に、底面１ａの中央部には、矩形状の凹部２が形成されている。
【０００５】
３は、ケーブル側接続端子であり、該ケーブル側接続端子３は、例えば、断面矩形の棒状に形成され、上記配線接続盤本体１の上面１ｂから上方に向かって複数突出して設けられている。
【０００６】
そして、上記各ケーブル側接続端子３は、被制御装置（図示せず）の各ケーブル４の先端部の接続端子４ａにハンダ５により固定されて、電気的に接続される
【０００７】
６は、リレー架側接続端子であり、該リレー架側接続端子６は、例えば、断面矩形の棒状に形成されると共に、上記凹部２内において、該凹部２の底面２ａら下方に向かって複数突出して設けられている。
【０００８】
そして、上記各リレー架側接続端子６は、対応する上記各ケーブル側接続端子３にそれぞれ電気的に接続されると共に、上記各棒状のリレー架側接続端子６が、上記制御装置のリレー架に形成された複数の孔状の端子部（図示せず）にそれぞれ挿入されて、電気的に接続されるようになる。
【０００９】
そして、上記被制御装置が上記制御装置に接続されて、該制御装置により上記被制御装置が制御されるようになる。
【００１０】
なお、７は、上記配線接続盤本体１と、リレー架（図示せず）とを固定するための、ネジ部である。
【考案の概要】
【考案が解決しようとする課題】
【００１１】
しかしながら、上記被制御装置のケーブル４の接続端部４ａと、上記ケーブル側接続端子３とは、ハンダ付けにより接続されるため、作業者のハンダ付けの技量により接続具合が左右され、接続不良となる場合があった。
【００１２】
本考案は、上記の欠点をなくすようにしたものである。
【課題を解決するための手段】
【００１３】
本考案のリレー架に接続される配線接続盤は、鉄道における信号機や転てつ機などの被制御装置を制御する制御装置のリレー架に接続される配線接続盤本体と、該配線接続盤本体に設けられた、上記リレー架の接続端子に接続されるリレー架側接続端子と、上記制御装置により制御される被制御装置のケーブルに接続されるケーブル側接続部とよりなり、上記ケーブル側接続部は、スプリング式端子部によりなることを特徴とする。
【００１４】
また、上記スプリング式端子部は、上記配線接続盤本体に設けられた、上記ケーブルの接続端子が挿入される孔と、該孔に設けられた、上記挿入されたケーブルの接続端子を側部から押圧して固定するスプリングとよりなることを特徴とする。
【００１５】
また、上記配線接続盤本体に、上記ケーブルを固定するケーブル固定用の固定具を設けたことを特徴とする。
【００１６】
また、上記固定具は、ケーブル固定部と、該ケーブル固定具を、上記配線接続盤本体から所望の距離離間して、上記配線接続盤本体に固定する連結部とよりなることを特徴とする。
【考案の効果】
【００１７】
本考案によれば、ケーブル側接続部をスプリング式端子部として、抜き差しによりケーブルを配線接続盤に固定できるようにしたので、確実に接続されるようになる。
【００１８】
また、ケーブル固定具を設けたので、配線接続盤からケーブルが抜けるような事がなくなる。
【図面の簡単な説明】
【００１９】
【図１】本考案のリレー架に接続される配線接続盤の正面図である。
【図２】本考案のリレー架に接続される配線接続盤の平面図である。
【図３】本考案のリレー架に接続される配線接続盤の側面図である。
【図４】本考案のリレー架に接続される配線接続盤のスプリング式端子部の縦断側面図である。
【図５】本考案のリレー架に接続される配線接続盤のスプリング式端子部のスプリングの斜視図である。
【図６】本考案のリレー架に接続される配線接続盤の他の実施例の正面図である。
【図７】本考案のリレー架に接続される配線接続盤の他の実施例の側面図である。
【図８】従来のリレー架に接続される配線接続盤の一部を縦断した正面図である。
【図９】従来のリレー架に接続される配線接続盤の平面図である。
【考案を実施するための形態】
【００２０】
以下図面によって本考案の実施例を説明する。なお、従来と共通する部分には、同じ符号を付け、説明を省略する。
【実施例１】
【００２１】
本考案のリレー架に接続される配線接続盤においては、上記配線接続盤本体１に、棒状に形成されたケーブル側端子部３を設ける代わりに、図１〜図３に示すように、被制御装置のケーブルの接続端子（図示せず）が挿入される挿入孔と、該挿入孔に挿入された接続端子の側面を、上記挿入孔の内側壁面等側に押圧して、該内側面等と挟持して、上記接続端子を固定するスプリングとよりなるスプリング式端子部８を用いる。
【００２２】
上記スプリング式端子部８としては、例えば、ワゴジャパン株式会社製のスプリング式端子部９がある。
【００２３】
上記ワゴジャパン株式会社製のスプリング式端子部９は、図４及び図５に示すように、配線接続盤本体１の上面１ｂに並列して設けた、被制御装置（図示せず）のケーブル１０の先端部の接続端子１０ａが挿入されるケーブル挿入孔１１及びスプリング操作用孔１２と、該ケーブル挿入孔１１とスプリング操作用孔１２とを連通する連通口１３と、上記スプリング操作用孔１２内に設けられたスプリング１４と、上記連通口１３に固定された、リレー架側接続端子６から延びる、例えば、板状の導電部材１５とより構成される。
【００２４】
また、上記スプリング１４は、図５に示すように、逆６の字状に形成された弾性体よりなる板バネよりなり、該スプリング１４は、Ｕ字状に形成された湾曲部１６と、該湾曲部１６の遊端部１６ａに連なる、上記湾曲部１６の基部１６ｂ側に向かって略水平方向に延びる先端部１７と、該先端部１７に設けられた開口部１８とよりなる。また、上記湾曲部１６の基部１６ｂは、上記スプリング操作用孔１２内に固定され、また、上記先端部１７は、上記連通口１３を介して、上記ケーブル挿入孔１１内と上記スプリング操作用孔１２内とを移動可能に形成されている。
【００２５】
また、上記先端部１７の開口部１８は、上記湾曲部１６の遊端部１６ａ側を、上記ケーブル挿入孔１１側（図４に示す矢印Ａ側）に押圧した場合には、上記ケーブル挿入孔１１側に位置し、押圧されない場合には、上記スプリング操作用孔１２側に位置するように形成されている。
【００２６】
上記スプリング式端子部９は、上記のような構成であるから、上記スプリング操作用孔１２内にドライバー等の操作棒を挿入しない場合には、上記スプリング１４の先端部１７の開口部１８は上記スプリング操作用孔１２側に位置し、上記スプリング操作用孔１２内にドライバー等の操作棒を挿入した場合には、該操作棒により、上記湾曲部１６が上記ケーブル挿入孔１１側（図４に示す矢印Ａ側）に押圧されて、図４の矢印Ｂに示すように、上記先端部１７の開口部１８が、上記連通口１３を介して、上記ケーブル挿入孔１１内に位置するようになる。
【００２７】
そして、この状態で、ケーブル１０の接続端子１０ａを上記ケーブル挿入孔１１内に挿入し、更に、上記開口部１８内に挿入するようにする。
【００２８】
そして、図４に示すように、上記操作棒を上記スプリング操作用孔１２から抜き去れば、上記湾曲部１６の復元力により、上記先端部の開口部１８は上記スプリング操作用孔１２側に移動し、これにより、上記ケーブル１０の接続端子１０ａは、上記スプリング１４の開口部１８の縁部と、上記導電部材１５との間に挟持されて、固定されるようになる。
【００２９】
これにより、上記ケーブル１０の接続端子１０ａが上記スプリング式端子部９に固定されるようになる。
【００３０】
また、上記ケーブル１０の接続端子１０ａを上記スプリング式端子部９から抜き去る場合には、上記スプリング操作用孔１２に操作棒を挿入して、上記スプリング１４の開口部１８を、上記ケーブル挿入孔１１側に移動させて、上記開口部１８の縁部と導電部材１５との挟持を解除するようにする。
【００３１】
なお、２つのスプリングを用いて、上記ケーブル１０の接続端子１０ａの両側面を押圧して挟持固定するようにしてもよい。
【００３２】
本考案のリレー架に接続される配線接続盤によれば、ハンダを用いずに、スプリング式端子部を設けて、ケーブルの接続端子を配線接続盤本体１に固定するようにしたので、作業者の技能により接続具合が左右されることがなくなり、接続不良を防ぐことができるようになる。
【００３３】
なお、上記ケーブル１０は、スプリング１４の押圧力により固定されているため、該ケーブ１０に強く引く力が加わった場合には、抜けてしまう可能性がある。
【００３４】
そこで、上記ケーブル１０が強くひかれた場合でも、該ケーブル１０が抜けないように、図６及び図７に示すように、上記配線接続盤本体１にケーブル固定具１９を設ける。
【００３５】
該ケーブル固定具１９は、上記配線接続盤本体１の上面１ｂから所望の距離離間して、該上面１ｂに並行に延びて配置した断面矩形の棒状の固定部１９ａと、該固定部１９ａの両端と上記配線接続盤本体１の両側面１ｃとをそれぞれ連結する連結部１９ｂとよりなる。
【００３６】
そして、上記ケーブル固定具１９の固定部１９ａにケーブル１０を固定することにより、ケーブル１０の接続端子１０ａに強く引く力が加わらず、配線接続盤からケーブルが外れることがなくなるようになる。
【符号の説明】
【００３７】
１      配線接続盤本体
１ａ    底面
１ｂ    上面
１ｃ    側面
２      凹部
２ａ    底面
３      ケーブル側接続端子
４      ケーブル
４ａ    接続端子
５      ハンダ
６      リレー架側接続端子
７      ネジ部
８      スプリング式端子部
９      スプリング式端子部
１０    ケーブル
１０ａ  接続端子
１１    ケーブル挿入孔
１２    スプリング操作用孔
１３    連通口
１４    スプリング
１５    導電部材
１６    湾曲部
１６ａ  遊端部
１６ｂ  基部
１７    先端部
１８    開口部
１９    ケーブル固定具
１９ａ  固定部
１９ｂ  連結部
【図１】
0003205816.tif 000003
【図２】
0003205816.tif 000004
【図３】
0003205816.tif 000005
【図４】
0003205816.tif 000006
【図５】
0003205816.tif 000007
【図６】
0003205816.tif 000008
【図７】
0003205816.tif 000009
【図８】
0003205816.tif 000010
【図９】
0003205816.tif 000011